(57)【要約】【課題】機器本体設置環境に応じて、機器本体の複数の面に任意の入出力機器を接続可能な情報処理装置、および入出力アダプタを提供することを目的とする。【解決手段】複数の面に入出力アダプタ装着手段を備えた情報処理装置は、入出力アダプタ装着手段に装着された入出力アダプタから接続された入出力機器情報を取得し、取得した入出力機器情報に定められた所定の信号入出力処理を行い、入出力アダプタは、接続する入出力機器のタイプを情報処理装置に通知し、入出力機器との間で入出力する信号に入出力機器に定められた所定の処理を行い、情報処理装置との間で授受することを特徴とする。【選択図】図１
2007157038.tif 000002
【特許請求の範囲】
【請求項１】
複数の面に入出力アダプタ装着手段を備えた情報処理装置であって、
入出力アダプタ装着手段に装着された入出力アダプタから接続された入出力機器情報を取得し、
取得した入出力機器情報に定められた所定の信号入出力処理を行うことを特徴とする情報処理装置。
【請求項２】
請求項１に記載の情報処理装置に装着する入出力アダプタであって、
接続する入力機器のタイプを情報処理装置に通知し、
入力機器から入力する信号に入力機器に定められた所定の処理を行い情報処理装置に送ることを特徴とする入出力アダプタ。
【請求項３】
請求項１に記載の情報処理装置に装着する入出力アダプタであって、
接続する出力機器のタイプを情報処理装置に通知し、
情報処理装置から入力する信号に出力機器に定められた所定の処理を行い、出力機器に送ることを特徴とする入出力アダプタ。
【請求項４】
請求項１に記載の情報処理装置に装着する入出力アダプタであって、
接続した入出力機器のタイプを情報処理装置に通知し、
入出力機器が入力機器であった場合は入力機器から入力する信号に入力機器に定められた所定の処理を行い情報処理装置に送り、
入出力機器が出力機器であった場合は情報処理装置から入力する信号に出力機器に定められた所定の処理を行い、出力機器に送ることを特徴とする入出力アダプタ。
【請求項５】
ＨＤオーディオ規格に対応したことを特徴とする、請求項２、または請求項３、または請求項４に記載の入出力アダプタ。
【発明の詳細な説明】
【技術分野】
【０００１】
本発明は、複数の面に任意の入出力機器を接続可能な情報処理装置、および入出力アダプタに関し、特に、複数の面に入出力アダプタを装着可能な情報処理装置、および装着する入出力アダプタは、接続する入出力機器のタイプを情報処理装置に通知するとともに、入出力機器と授受する信号に、入出力機器に定められた処理を行うことを特徴とする情報処理装置、および入出力アダプタに関する。
【背景技術】
【０００２】
パーソナルコンピュータ（ＰＣ）、ＰＤＡ等の情報処理装置は、装置の側面に種々の入出力接続端子を備える。例えば、図９に示す従来例１では、前面にはＩＥＥＥ１３９４（ＤＶ）端子、ヘッドホン端子、マイク端子を備える。
【０００３】
このようなＰＣで音声を入力しながらＰＣの前で何か操作をしたい、あるいは、ヘッドホンで音楽を聞きながら作業をしたいというような場合、マイク、あるいはヘッドホンをＰＣの前面にあるマイク端子、あるいはヘッドホン端子に接続する必要があるが、プラグやコードがＰＣの前面に飛び出しているため、操作の邪魔になる。
【０００４】
また、ＰＣを左右の空きスペースの無い場所に置いて操作する場合に、入出力接続端子が右側面、あるいは左側面に有ると、入出力機器を接続出来ない。
【０００５】
従来、ＰＣに外部機器を接続する際の工夫が開示されている。（特許文献１参照）
【特許文献１】特開平１１−２５０１９６号公報  特許文献１に記載の方法では、図１０に示す従来例２のごとく、ＰＣカードの挿入方向とケーブルの接続方向を直交するように構成し、かつ、ＰＣカードとケーブルを接続するコネクタ部において、コネクタを上下いずれの方向に接続しても同一の動作状態であるように、ＰＣカード或いは接続コネクタの信号部を構成する。
【０００６】
これにより、ケーブルが機器本体の側面から側面方向に延びることなく、本体機器のＰＣカードスロットが右側、左側どちらに位置している場合でも、通信ケーブルの接続コネクタを上下どちらの方向でも接続可能であるために、通信ケーブルを本体機器の後方に延ばすことができるので、通信ケーブルやコネクタに外部からの負荷がかかりにくくなる。
【発明の開示】
【発明が解決しようとする課題】
【０００７】
しかし、特許文献１に記載の方法では、機器本体の右側、および左側側面にスペースが無い場合には対応できない。
【０００８】
本発明は、機器本体設置環境に応じて、機器本体の複数の面に任意の入出力機器を接続可能な情報処理装置、および入出力アダプタを提供することを目的とする。
【課題を解決するための手段】
【０００９】
第一の発明は、複数の面に入出力アダプタ装着手段を備えた情報処理装置であって、入出力アダプタ装着手段に装着された入出力アダプタから接続された入出力機器情報を取得し、取得した入出力機器情報に定められた所定の信号入出力処理を行うことを特徴とする。
【００１０】
これにより、入出力アダプタを装着する面の近傍に障害物がある場合、あるいは当該面近傍で作業を行う等で、当該面に入出力アダプタを装着することが困難な場合、他の面に当該入出力アダプタを装着することが可能となる。これにより入出力機器を当該他の面に接続するとともに、装着した入出力機器に定められた所定の信号処理を行うことが可能となる。
【００１１】
第二の発明は、第一の発明に記載の情報処理装置に装着する入出力アダプタであって、接続する入力機器のタイプを情報処理装置に通知し、入力機器から入力する信号に入力機器に定められた所定の処理を行い、情報処理装置に送ることを特徴とする。
【００１２】
これにより、いずれの面に入出力アダプタを装着した場合であっても、使用者に負荷をかけることなく、接続された入力機器に定められた入力機能を実現することが可能となる。
【００１３】
第三の発明は、第一の発明に記載の情報処理装置に装着する入出力アダプタであって、接続する出力機器のタイプを情報処理装置に通知し、情報処理装置から入力する信号に出力機器に定められた所定の処理を行い、出力機器に送ることを特徴とする。
【００１４】
これにより、いずれの面に入出力アダプタを装着した場合であっても、使用者に負荷をかけることなく、接続された出力機器に定められた出力機能を実現することが可能となる。
【００１５】
第四の発明は、第一の発明に記載の情報処理装置に装着する入出力アダプタであって、接続した入出力機器のタイプを情報処理装置に通知し、入出力機器が入力機器であった場合は入力機器から入力する信号に入力機器に定められた所定の処理を行い情報処理装置に送り、入出力機器が出力機器であった場合は情報処理装置から入力する信号に出力機器に定められた所定の処理を行い出力機器に送ることを特徴とする。
【００１６】
第五の発明は、ＨＤオーディオ規格に対応したことを特徴とする、第二の発明、または第三の発明、または第四の発明に記載の入出力アダプタ。
【発明の効果】
【００１７】
本発明により、接続する入出力機器のタイプを情報処理装置に通知するとともに、入出力機器と授受する信号に、入出力機器に定められた所定の処理を行う入出力アダプタ、および複数の面に任意の入出力機器を接続可能な情報処理装置を提供することが可能となる。
【発明を実施するための最良の形態】
【００１８】
図１に、本発明によるノートパソコン１と入出力アダプタ３の例を示す。ノートパソコン１は、前面、および右側面に入出力アダプタ装着手段２を備える。
【００１９】
ここに装着される入出力アダプタ３は、接続される入出力機器の識別ＩＤをノートパソコン１に通知する。
【００２０】
入出力アダプタ３はさらに、識別ＩＤが入力機器の場合は、入力機器から入力したデータに識別ＩＤに定められた所定の処理を実施し、処理結果をノートパソコン１に送り、識別ＩＤが出力機器の場合は、ノートパソコン１から、データを受け取り、受け取ったデータに識別ＩＤに定められた所定の処理を実施し、処理結果を接続された出力機器に出力する。
【００２１】
これにより、ノートパソコン１の右側面にスペースが無い場合であっても、前面にスペースがある場合は入出力アダプタ３を前面の入出力アダプタ接続手段２に装着し、ここに任意の入出力出力機器を接続することが可能となる。
【実施例１】
【００２２】
図２は、本発明によるノートパソコン実施例１を示す。図２において、ノートパソコン１はノートパソコンの主要部（ＢＩＯＳ）１１に接続する内部バス１２を備え、入出力アダプタ装着手段２は、内部バス１２を経由してノートパソコン主要部（ＢＩＯＳ）１１に接続されている。
【００２３】
入出力アダプタ装着手段２は、内部バス１２に接続するコントローラ２１を備え、コントローラ２１は、コーデック２２〜２４を経由してコネクタ２５〜２７と接続されている。
【００２４】
コネクタ２５〜２７には、図１に示す入出力アダプタ３が装着される。図２においては、入出力アダプタ３として、ヘッドホンアダプタ３０をノートパソコン１の前面側にあるコネクタ２６に装着した例を示す。ヘッドホンアダプタ３０は、コネクタ２６に対応するコネクタ３１を備え、ヘッドホンアダプタ３０に定められた識別ＩＤ発生回路３２、コーデック２３から受け取るオーディオ信号をヘッドホンの周波数特性に合わせるイコライザ３３、および、ヘッドホンを接続するジャック３４を備える。
【００２５】
入出力アダプタ装着手段２は、電源投入時にヘッドホンアダプタ３０がコネクタ２６に装着されていることを検出すると、コントローラ２１、内部バス１２を経由してノートパソコン主要部（ＢＩＯＳ）１１にヘッドホンアダプタ３０がコネクタ２６に装着されたことを通知する。
【００２６】
オーディオ信号出力がある場合、コネクタ２６にヘッドホンアダプタ３０が装着されたことを認識したノートパソコン主要部（ＢＩＯＳ）１１は、コーデック２３に向け、オーディオ信号出力をディジタル情報として内部バス１２に出力する。
【００２７】
コーデック２３向けのディジタルオーディオ信号出力を受け取ったコントローラ２１は、コーデック２３にディジタルオーディオ信号出力を送り、コーデック２３は、ディジタルオーディオ信号をアナログオーディオ信号に変換し、コネクタ２６に出力する。
【００２８】
コネクタ２６からコネクタ３１を経由してアナログオーディオ信号を受け取ったヘッドホンアダプタ３０は、イコライザ３３により、コーデック２３から受け取るオーディオ信号をヘッドホンの周波数特性に合わせたアナログオーディオ信号としてヘッドホンジャック３４に出力する。
【００２９】
同様に、ヘッドホンアダプタ３０をノートパソコン１の右側面側にあるコネクタ２７に装着した場合は、コーデック２４にディジタルオーディオ信号出力を送り、コーデック２４は、ディジタルオーディオ信号をアナログオーディオ信号に変換し、コネクタ２７に出力する。
【００３０】
スピーカアダプタの場合、ウーハ等各スピーカの対応周波数範囲に合わせたイコライザを設けるとしてもよい。ヘッドホンアダプタの場合は、ヘッドホンの最大入力電力を考慮して、例えば最大出力を２００ｍＷ程度に制限するとしてもよい。
【００３１】
また、入力アダプタのイコライザとして、例えばレコードアダプタの場合はＲＩＡＡイコライザ、テープアダプタの場合はドルビーイコライザを設けることで、自動的に正しい周波数特性の補正が可能となる。
【００３２】
図３は、入出力アダプタ装着手段２として、ＡＳＩＣ，Ｃｈｉｐｓｅｔ等のＧＰＩＯを用い、入出力アダプタ３としてヘッドホンアダプタ、およびマイクアダプタがそれぞれのＩＤ識別ビットを設定する例を示す。この例では、入出力アダプタ３がヘッドホンアダプタの場合は、ＧＰＩＯ５をグランドとし、マイクアダプタの場合は、ＧＰＩＯ６をグランドとしている。
【００３３】
ノートパソコン１は起動時に、入出力アダプタ装着手段２の各コネクタに装着されている入出力アダプタ３の識別ＩＤを読み取り、各コネクタに識別ＩＤに定められた入出力条件を設定する。
【実施例２】
【００３４】
図４、図５、および図６は、接続する機器によって入出力機能を自動的に選択する、ＨＤオーディオ規格に本発明を適用し、赤色のジャックを定義する例を示す。
【００３５】
図４にＨＤオーディオ規格のビット定義を示す。コーデックの各チャンネルに対して、図４にしたがってレジスタを設定する。
【００３６】
図５にジャック色識別ＩＤとＨＤオーディオ規格のＣｏｌｏｒ定義の対応を示す。図５から「赤色ジャック」の識別ＩＤは“５ｈ”、すなわち〔０１０１〕であるため、赤色ジャックの入出力アダプタのＢｉｔ〔１５：１２〕を〔０１０１〕とする。
【００３７】
赤色ジャックの入出力アダプタが装着されたノートパソコン主要部（ＢＩＯＳ）は、装置起動時にこの識別ＩＤ〔０１０１〕を読み込み、当該チャンネルのレジスタＢｉｔ〔１５：１２〕に〔０１０１〕定める。
【００３８】
図６にジャック識別ＩＤとＨＤオーディオ規格のＣｈａｎｎｅｌ定義の対応を示す。これにしたがって、図２における入出力アダプタ接続手段２のコネクタ２５、２６、２７をそれぞれチャンネルＡ、チャンネルＢ、チャンネルＣとすると、入出力アダプタ３がコネクタ２５に装着されるとＧＰＩＯ０４がオン、入出力アダプタ３がコネクタ２６に装着されるとＧＰＩＯ０５がオン、入出力アダプタ３がコネクタ２７に装着されるとＧＰＩＯ０６がオンとなる。ノートパソコン主要部（ＢＩＯＳ）は、装置起動時にＧＰＩＯ０４〜０７を読み込み、入出力アダプタ３の有無をレジスタに設定する。
【００３９】
これによりノートパソコンは、当該赤色ジャックが装着されたチャンネルと赤色ジャックが入出力すべき信号を授受する。
【００４０】
図７は、ステレオスピーカで音楽等を聞きながらノートパソコン１を操作することを想定し、図１に示す本発明によるノートパソコン１の右側面にステレオスピーカアダプタを装着した例を示す。これにより、ノートパソコン１は、右側面の入出力アダプタ装着手段２にオーディオ信号を出力し、ノートパソコン１の前面に、プラグ、ケーブル等の障害物が飛び出さず、操作を妨げることを防止する。
【００４１】
図８は、ノートパソコン１を置く場所の左右にスペースの無い場合を想定し、図１に示す本発明によるノートパソコン１の前面の入出力アダプタ装着手段２にステレオスピーカアダプタを装着した例を示す。これにより、ノートパソコン１は、前面の入出力アダプタ装着手段２にオーディオ信号を出力し、ノートパソコンの右側面に、プラグ、ケーブル等の障害物が飛び出さず、ステレオスピーカアダプタを装着しても、狭い場所にノートパソコンを置くことが可能となる。
【００４２】
なお、実施例においては、ヘッドホン／ステレオスピーカ出力、マイク入力のアナログ信号の入出力を例に説明したが、入出力はアナログ信号に限定されるものではなく、例えば、キーボード、マウス等のディジタル信号であっても良い。
【図面の簡単な説明】
【００４３】
【図１】本発明によるノートパソコンと入出録アダプタの例
【図２】本発明によるノートパソコン実施例１
【図３】ＩＤ識別ビットの設定例
【図４】識別ＩＤ定義例（ＨＤオーディオ規格の定義）
【図５】ジャック色識別ＩＤとＨＤオーディオ規格のＣｏｌｏｒ定義の対応
【図６】ジャック接続識別ＩＤとＨＤオーディオ規格のＣｈａｎｎｅｌ定義の対応
【図７】本発明によるノートパソコンの右側面に入出力アダプタを装着した例
【図８】本発明によるノートパソコンの前面に入出力アダプタを装着した例
【図９】従来例１
【図１０】従来例２
【符号の説明】
【００４４】
１    ノートパソコン
２    入出力アダプタ装着手段
３    入出力アダプタ
１１    ノートパソコン主要部（ＢＩＯＳ）
１２    内部バス
２１    コントローラ
２２、２３、２４    コーデック
２５、２６、２７、３１    コネクタ
３０    ヘッドホンアダプタ
３２    ＩＤ発生回路
３３    イコライザ
３４    ヘッドホンジャック
【図１】
2007157038.tif 000003
【図２】
2007157038.tif 000004
【図３】
2007157038.tif 000005
【図４】
2007157038.tif 000006
【図５】
2007157038.tif 000007
【図６】
2007157038.tif 000008
【図７】
2007157038.tif 000009
【図８】
2007157038.tif 000010
【図９】
2007157038.tif 000011
【図１０】
2007157038.tif 000012